(57)【特許請求の範囲】
【請求項１】
液晶基板に設けられ、筐体の内方に位置して文字などの情報を表示する情報表示部と、前記筐体に切り欠いて形成した窓部と、を有し、
前記情報表示部を前記窓部から臨むように配置された情報を表示するプリンタの情報表示器であって、
前記筐体に取出口を形成するとともに、前記取出口を開放または閉鎖する開閉カバーとを備え、
前記液晶基板の上端側に設けられたコ字状のガイドレールと、前記液晶基板の下端側に設けられたコ字状のガイドレールと、
前記二つのコ字状のガイドレールに沿って前記液晶基板をスライドさせて、前記取出口から着脱可能に設けるとともに、
前記下端ガイドレール近傍に、前記液晶基板を位置決めする位置決め部を設け、
前記位置決め部は、
操作片と、台座と、この間に設けられたコイルバネと、を有し、
前記操作片が前記コイルスバネの付勢により前記液晶基板に当接して位置決めするとともに、前記コイルバネをガイドするガイド軸を設けたことを特徴とするプリンタの情報表示器。
【請求項２】
操作部を有した操作基板と、前記液晶表示部を有した前記液晶基板を備え、前記操作基板と、前記液晶基板とを分離して配置したことを特徴とする請求項１記載のプリンタの情報表示器。
【発明の詳細な説明】
【技術分野】
【０００１】
本発明は、文字などの情報を視認できる液晶表示部を有したプリンタの情報表示器に関し、特に液晶表示部の清掃およびメンテナンス性を向上させたプリンタの情報表示器に関する。
【背景技術】
【０００２】
情報表示器を組み込まれた装置として、プリンタ、ファックス、携帯電話など種々ありますが、プリンタに組み込まれた情報表示器を例に従来を説明します。
図４は、従来のプリンタの側面の一部分を示した断面図であり、プリンタ４０には、プリンタ４０の動作情報やエラー情報などの情報をオペレータが視認できる液晶表示部４８を有した操作表示部４７が組み込まれている。
【０００３】
プリンタ４０には、主にサーマルヘッド４３とプラテンローラ４４を備えた印字部４２と、ステッピングモータ４５と、制御部４６と、操作表示部４７などが配置されている。
ステッピングモータ４５は、プラテンローラ４４を回転駆動するように設けられ、制御部４６は、サーマルヘッド４３、ステッピングモータ４５、操作表示部４７に電気的に接続され、各々制御するように設けられている。
【０００４】
またプラテンローラ４４は、図示しないタイミングベルトを介してステッピングモータ４５に接続され、ステッピングモータ４５の駆動によりプラテンローラ４４を回転することができる。
印字媒体Ｐは、サーマルヘッド４３とプラテンローラ４４により挟持され、プラテンローラ４４の回転により印字媒体Ｐを移送しながら印字媒体Ｐに印字することができ、印字された印字媒体Ｐは、水平に移送されプリンタ４０のカバー４１に形成された図示しない排出口から排出される。
【０００５】
操作表示部４７は主に、液晶表示部４８と、ＬＥＤ４９、操作部５０と、基板５１とから構成され、プリンタ４０の印字媒体Ｐが排出される排出口側の排出側カバー４１ａに設けられている。
液晶表示部４８は、文字などの視認情報を表示する表示面４８ａを有し、この表示面４８ａの配置された排出側カバー４１ａに図示しないが開口部が形成されて、この開口部を介して表示面４８ａに表示された情報を視認することができる。
【０００６】
ＬＥＤ４９は、複数のＬＥＤ４９・・・４９が水平方向に所定の間隔で並設され、電源表示、印字データの受信表示、エラー時の表示時にオペレータが認識できるようにＬＥＤが発光するように設けてある。
また、操作部５０は、複数の操作キーが水平方向に所定の間隔で並設され、オンラインキーと、フィードキーなどのキーが配置されている。
【０００７】
このように構成された操作表示部４７の液晶表示部４８の表示面４８ａを清掃する場合には、排出側カバー４１ａの開口部から直接、表示面４８ａを清掃することができるが、表示面４８ａの周縁を清掃する場合には、表示面４８ａの周縁と排出側カバー４１ａとが近接して配置されているので、清掃できないという問題がある。
【０００８】
また、プリンタ４０の排出カバー４１ａの図示しない開口部に透明のカバー（図示せず）が設けてある場合には、液晶表示部４８の表示面４８ａを清掃できないので、プリンタ４０のカバー４１あるいはカバー２の一部を取り外し、基板５１を固定している複数のスクリュー５２・・５２を取り外さなければ液晶表示部４８の表示面４８ａを清掃することができないので、清掃やメンテナンス作業に時間を費やすので作業性が低下する問題がある。
また、液晶表示部４８の表示面４８ａの周囲と排出側カバー４１ａとの間に僅かな隙間があるので、埃や異物が隙間に入り込み基板５１に付着するなどして、基板が劣化するなどの問題が発生する。
【０００９】
特許文献１は、表示装置の上方にシャッターが設けられ、このシャッターを開放または閉鎖方向に移動するように設けられているので、表示装置に付着したゴミを容易に取り除くことが開示されている。
【先行技術文献】
【特許文献】
【００１０】
【特許文献１】特開２００５−７５２３０号公報
【発明の概要】
【発明が解決しようとする課題】
【００１１】
本発明は斯かる問題点を鑑みてなされたものであり、簡単な構成で液晶表示部のメンテナンスすることができるプリンタの情報表示器を提供することを目的としている。
また、大型化することがないようにして、液晶表示部のメンテナンスすることができるプリンタの情報表示器を提供することを目的としている。
また、液晶表示部の周縁を容易にメンテナンスすることができるプリンタの情報表示器を提供することを目的としている。
また、液晶表示部を容易に着脱することができるプリンタの情報表示器を提供することを目的としている。
また、液晶表示部を有した基板の劣化を抑制することができるプリンタの情報表示器を提供することを目的としている。
【課題を解決するための手段】
【００１２】
本発明は、液晶表示部を取り出すことに着目したもので、請求項１記載の発明の要旨は、液晶基板に設けられ、筐体の内方に位置して文字などの情報を表示する情報表示部と、前記筐体に切り欠いて形成した窓部と、を有し、前記情報表示部を前記窓部から臨むように配置された情報を表示するプリンタの情報表示器であって、前記筐体に取出口を形成するとともに、前記取出口を開放または閉鎖する開閉カバーとを備え、前記液晶基板の上端側に設けられたコ字状のガイドレールと、前記液晶基板の下端側に設けられたコ字状のガイドレールと、前記二つのコ字状のガイドレールに沿って前記液晶基板をスライドさせて、前記取出口から着脱可能に設けるとともに、前記下端ガイドレール近傍に、前記液晶基板を位置決めする位置決め部を設け、前記位置決め部は、操作片と、台座と、この間に設けられたコイルバネと、を有し、前記操作片が前記コイルスバネの付勢により前記液晶基板に当接して位置決めするとともに、前記コイルバネをガイドするガイド軸を設けたことを特徴とするプリンタの情報表示器にある。
また請求項２記載の発明の要旨は、操作部を有した操作基板と、前記液晶表示部を有した前記液晶基板を備え、前記操作基板と、前記液晶基板とを分離して配置したことを特徴とする請求項１記載のプリンタの情報表示器にある。
【発明の効果】
【００１３】
本発明の情報表示器は、筐体の内方から外方に取り出すことができるので、液晶表示部の表示面およびその周縁を効率的に清掃およびメンテナンスをすることができる。
また、簡単な構造なので装置を大型化することがない。
また、印字動作時の振動などにより液晶基板がずれることがないので、適正な位置で液晶表示部を窓部から臨むことができる。
【図面の簡単な説明】
【００１４】
【図１】本発明の情報表示器を組み込まれたプリンタの外観の一部を切り欠いた斜視図である。
【図２】同上、情報表示器を組み込まれたプリンタの前面フレームの一部分を示した情報表示器を一部切り欠いた断面図である。
【図３】同上、情報表示器を組み込まれたプリンタの側面の一部分を示した断面図である。
【図４】従来のプリンタの側面の一部分を示した断面図である。
【発明を実施するための最良の形態】
【００１５】
本発明の実施の形態を図１ないし図３に基づいて説明する。尚、従来と同一の部分には同一の符号を付し、説明を省略する。
プリンタ１は、６面体のカバー（筐体）１ａにより内部を覆うように構成され、必要に応じて用紙媒体Ｐの装填やメンテナンスを行うために、カバー１ａの一部に開閉カバーとしての機能を設けることができる。
プリンタ１は、機構エリア３０と、制御エリア３５の二つのエリアを有し、この二つのエリアを分離する中間フレーム４がプリンタ１内に設けられている。
機構エリア３０には主に、用紙供給部３１、印字部４２、用紙排出口３３とから構成されている。また制御エリア３５には主に、情報表示器３７と、操作表示部３８と、制御部２９および電源部など（図示せず）から構成されている。
【００１６】
機構エリア３０の用紙供給部３１は、用紙媒体Ｐを巻き芯（図示せず）に巻回したロール状の印字媒体Ｐを回転可能に保持する用紙供給軸３４が設けられ、印字媒体Ｐの先端を印字部４２に繰り出しすることができるように設けられている。
【００１７】
印字部４２には、サーマルヘッド４３とプラテンローラ４４が配置され、移送される印字媒体Ｐに印字することができるように配置され、印字された印字媒体Ｐは、一点鎖線で示したように機構エリア３０の前面カバー２の機構エリア面２ａに形成された用紙排出口３３から排出されるようにしてある。
また、印字媒体Ｐの移送する移送路の下方には、用紙検出センサー３２が設けられ、印字媒体Ｐに所定の間隔で形成した図示しない基準マーク（黒色の矩形のマーク）が、印字媒体Ｐの印字面とは反対の面に印刷（図示せず）され、この基準マークを検出できるように配置されてある。
【００１８】
制御エリア３５に設けられた制御部２９は、サーマルヘッド４３、プラテンローラ４４を駆動させるステッピングモータ４５、用紙検出センサー３２、後述する情報表示器３７、操作表示部３８などに電気的に接続され、これらを制御できるように設けられてある。
【００１９】
情報表示器３７は、制御エリア３５の前面カバー２の制御エリア面２ｂの上方に位置して設けられている。また、操作表示部３８が、情報表示器３７から所定の隙間を有して下方に位置し、情報表示器３７と分離されて前面カバー２の制御エリア面２ｂ配置されている。
情報表示器３７には、液晶表示部（情報表示部）６と、取出口１８と、位置決め部２３と、を有し、また、操作表示部３８に主に、複数のＬＥＤ（Ｌｉｇｈｔ  Ｅｍｉｔｔｉｎｇ  Ｄｉｏｄｅ）１１・・・１１と、複数の操作スイッチ１２，１２と、コネクタ１３を有している。
【００２０】
液晶表示部６には主に、液晶基板５と、コネクタ７が設けられ、液晶基板５には、所定の電気回路が形成され、液晶表示部６と、コネクタ７と、が電気的に接続されている。
液晶表示部６は、プリンタ１の動作情報やエラー情報を文字や記号で視認できるように表示することができ、液晶基板５の表面側（前面カバー２に対峙する側）に設けられている。
【００２１】
またコネクタ７は、液晶基板５の裏面側（制御部２９側）に設けられ、プラグ８ａが接続されるように形成されている。プラグ８ａは、制御部２９からのＤＣ電源の供給や表示情報としてのデータ信号などの伝送などを行うことができるようにフラットケーブル９を介して接続されている。
【００２２】
操作表示部３８には、操作基板１０が設けられ、この操作基板１０には所定の電気回路が形成され、複数のＬＥＤ１１・・・１１、操作スイッチ１２、コネクタ１３が、所定の電気回路により電気的に接続されている。
ＬＥＤ１１は、操作基板１０の表面側（カバー２に対峙する側）に設けられ、電源用ＬＥＤ１１ａ、動作表示用ＬＥＤ１１ｂ、エラー表示用ＬＥＤ１１ｃとして、消灯、点灯または点滅するようにしてある。
操作スイッチ１２は、フィードキー１２ａとオンライン／オフラインキー１２ｂとが配置され、操作基板１０の表面側（カバー２に対峙する側）に設けられている。
【００２３】
またコネクタ１３は、操作基板１０の裏面側（制御部２９側）に設けられるとともに、プラグ８ｂを介してフラットケーブル１４が接続されている。フラットケーブル１４は、制御部２９に電気的に接続され、ＤＣ電源や各ＬＥＤ１１への表示するための信号を操作基板１０に供給し、また操作スイッチ１２の信号を制御部２９に供給するようにしてある。
【００２４】
一方、プリンタ１の制御エリア３５の前面カバー２の制御エリア面２ｂには、各操作スイッチ１２ａ、１２
ｂに対応して切り欠き窓（図示せず）が形成されるとともに、フィードキー１２ａとオンライン／オフライ
ンキー１２ｂを操作する操作カバー１６ａ、１６ｂが、切り欠き窓に対応して設けてある。
また液晶表示部６を臨む位置に窓部１５が形成され、窓部１５は、液晶表示部６よりやや広い大きさの略長方形状に切り欠いた形状を有している。さらに、窓部１５の周縁と液晶表示部６の周縁との間には僅かな隙間を有している。
【００２５】
ＬＥＤ１１a、１１ｂ、１１ｃは、三個のＬＥＤが水平方向に所定の間隔で並設され前述のとおり各ＬＥＤ１１a、１１ｂ、１１ｃは、操作基板１０に設けられ、前面フレーム２の制御エリア面２ｂには、同一形状の円形状の窓部１７が各々形成され、この円形状の窓部１７から各ＬＥＤ１１a、１１ｂ、１１ｃが表出している。
【００２６】
プリンタ１の制御エリア３５側の前面カバー２のコーナーを介して連接する側面カバー３に、液晶基板５をプリンタ１内方から外方に取り出し可能な長方形状に切り欠いた取出口１８が形成されている。
この取出部１８には、硬質の合成ゴムから成る開閉カバー１９を設けられ、側面カバー３に設けられた支持軸２０を中心に閉鎖位置と開放位置との間で開閉カバー１９を回動可能に設けられている。
【００２７】
開閉カバー１９を閉鎖位置（図２中、垂直方向）においては、取出口１８を覆うように設けられ、スクリュー２８により開閉カバー１９を側面カバー３に固定することができる。
また、開閉カバー１９を開放位置（図２中、一点鎖線で示した水平方向）において、長方形状の取出口１８のほぼ全体を開放するように設けられ、液晶基板５を取り出すことができる大きさに取出口１８が側面カバー３に切り欠いてある。
【００２８】
さらに液晶基板５は、ほぼ四角形状から成り、液晶表示部６などを設けた液晶基板５の部品取付面をほぼ鉛直方向に配置している。
また、液晶基板５の上部辺５ａに位置したコ字状の上端ガイドレール２１と液晶基板５の下部辺５ｂに位置したコ字状の下端ガイドレール２２の両レール２１，２２に沿って液晶基板５をスライド可能に設けられている。
上端ガイドレール２１と下端ガイドレール２２は、前面カバー２に設けられたブラケット（図示せず）に支持されている。
【００２９】
下端ガイドレール２２近傍には、液晶基板５を位置決めする位置決め部２３が設けられている。位置決め部２３は、取り出し口１８の近傍の下端側に位置して、容易に操作可能な位置に設けてある。
位置決め部２３には主に、操作片２４と、コイルバネ２５と、台座２６が設けられている。
操作片２４は、液晶基板５の取出口１８側の鉛直辺５ｃにと当接して液晶基板５を位置決めすることができる。
このように、操作片２４により液晶基板５を位置決めすることにより、プリンタ１の搬送や印字動作時の振動などによりずれることがないので、適正な位置で液晶表示部６を窓部１５から臨むことができる。
操作片２４の下方には、コイルバネ２５と、台座２６が配置されている。
コイルバネ２５は、操作片２４と台座２６との間に設けられるとともに、台座２６はＬ字状に形成され、前面プレート２に固定されているので、操作片２４をコイルバネ２５の付勢により常時上方に付勢するように設けられている。また、コイルバネ２５を上下方向にガイドするガイド軸２７が設けられている。
【００３０】
次に、液晶基板５を取り出す方法について説明する。
側面カバー３に開閉カバー１９を固定しているスクリュー２８を回転操作して、スクリュー２８を取り外し、開閉カバー１９を閉鎖位置から開放位置（図２中、矢印Ａ方向）に支持軸２０を中心に回転させる。
開閉カバー１９を開放位置（図２中、  一点鎖線）において、操作片２４をコイルバネ２５の付勢に抗して下方に押し下げ操作して、液晶基板５の位置決めを解除することにより、上端ガイドレール２１および下端ガイドレール２２に沿って液晶基板５をスライドさせて、プリンタ１の内方に位置している液晶表示部６を取出口１８から外方に取り出すことができる。
【００３１】
液晶基板５を取り出す時に、各フラットケーブル９、１４も取出口１８から取り出されるが、液晶基板５を取り出しても十分な長さを各フラットケーブル９、１４が有しているので液晶基板５を引き出すことができる。
このように、簡単な操作で液晶表示部６を有した液晶基板５を容易にプリンタ１の内方から外方に取り出すことができる。また、液晶基板５を外方に取り出すことにより、液晶基板５自体をメンテナンスをすることができ腐食や劣化を防止することができる。
【００３２】
取り出された液晶基板５は、液晶表示部６の表示面６ａおよびその周縁を容易に清掃することができるとともに、液晶基板５のメンテナンスを容易にすることができる。
液晶基板５のメンテナンスとしては、液晶表示部６、コネクタや電気部品などの修理や点検あるいは液晶基板の交換などであり、修理や点検の作業時間を短縮するとともに容易に液晶基板５をプリンタの内方あるいは外方に操作することにより液晶表示部６を着脱ができるので、プリンタ１の休止時間を極力短くすることができる。
【００３３】
液晶基板５を取り付ける時は、操作片２４を押し下げ操作をして、液晶基板５を上端ガイドレール２１および下端ガイドレール２２に沿って取出口１８から差し込むことができる。
液晶基板５を上端ガイドレール２１および下端ガイドレール２２に沿って、スライドさせて押し込むことにより、操作片２４がコイルスバネ２５の付勢により上方に移動することにより、操作片２４が液晶基板５の鉛直片５ｃに当接して位置決めすることができる。
【００３４】
液晶基板５を位置決めした後に、開閉カバー１９を閉鎖位置（図２中、矢印Ｂ方向）に回転させてスクリュー２８を開閉カバー１９の図示しない取付孔介して側面カバー３に取り付けることにより、開閉カバー１９を側面カバー３に固定することができる。
尚、スクリュー２８で開閉カバー１９を固定した例で説明しましたが、ローレットあるいは磁気などで固定することができる。
このように、液晶基板５を容易に取り出すことができるとともに容易に収納することができ、作業性が向上することができる。
また、液晶基板５の表示面６ａの縁に付着した埃や液晶基板５のメンテナンスを容易に行うことができる。
【００３５】
液晶基板５と、操作基板１０と、を分離することにより、液晶表示部６を有した液晶基板５だけの最小限の大きさの基板をスライドさせてプリンタ１の内方から外方に取り出すことができるので、液晶表示部６の表面部６ａおよびその周囲を容易に清掃およびメンテナンスをすることができる。
【００３６】
この実施の形態では、プリンタに組み込まれた情報表示部としての液晶表示部について説明したが、液晶表示部がカバー（筐体）の内方に位置して配置された機器に適用することができる。
また、タッチパネルその他の薄型の表示部に適用することができる。
【００３７】
この実施の形態では、各構成部材の数、位置、形状等は上記実施の形態に限定されず、本発明を実施するうえで好適な数、位置、形状等にすることができる。本発明が上記各実施の形態に限定されず、本発明の技術思想の範囲内において、実施の形態は適宜変更され得ることは明らかである。
【符号の説明】
【００３８】
１      プリンタ（本発明）
２      前面カバー
３      側面カバー
５      液晶基板
６      液晶表示部（情報表示部）
６ａ    表示面
１０    操作基板
１１    ＬＥＤ
１２    操作スイッチ
１５    窓部
１６    操作カバー
１８    取出口
１９    開閉カバー
２１    上端レール
２２    下端レール
２３    位置決め部
２４    操作片
２８    スクリュー
２９    制御部
３０    機構エリア
３３    用紙排出口
３５    制御エリア
３７    情報表示器
４０    プリンタ（従来）
４３    サーマルヘッド
４４    プラテンローラ
４７    操作表示部（情報表示器）
【図１】
0005754956.tif 000002
【図２】
0005754956.tif 000003
【図３】
0005754956.tif 000004
【図４】
0005754956.tif 000005